(57)【要約】【課題】  引き上げ管に予め単体で装着可能であり、ケーブルの通線作業性の良好な引き上げ管端部処理用品及びケーブルの布設方法を提供する。【解決手段】  本発明の引き上げ管端部処理用品１０は、ケーブルＣ１，Ｃ２を挿通するための引き上げ管Ｄ１もしくはＤ２の端部が導入されることで引き上げ管Ｄ１もしくはＤ２に装着される導入部１３，１４と、ケーブルＣ１，Ｃ２を挿通させるための複数の筒部２０，２１及び筒部２０，２１の内孔を塞いだ閉塞部２２，２３が形成されたケーブルガイド１２とを有する。  本発明のケーブルの布設方法は、端部処理用品１０を引き上げ管Ｄ１の端部に装着した後、閉塞部２２を除去して筒部２０を開口させ、ケーブルＣ１を引き上げ管Ｄ１内から引き上げて筒部２０を通して外側へ導出し、筒部２０とケーブルＣ１との間隙を塞ぐケーブルキャップ３０内にケーブルＣ１を挿通させ、ケーブルキャップ３０を筒部２０に装着する。【選択図】    図９
2006034074.tif 000002
【特許請求の範囲】
【請求項１】
ケーブルを挿通するための引き上げ管の端部に装着される引き上げ管端部処理用品であって、
前記引き上げ管の端部が導入されることで前記引き上げ管に装着される導入部と、前記引き上げ管の内側から外側にケーブルを挿通させるための複数の筒部及び当該筒部の内孔を塞いだ閉塞部が形成された案内部とを有することを特徴とする引き上げ管端部処理用品。
【請求項２】
請求項１に記載の引き上げ管端部処理用品であって、
前記導入部は、異なる径の引き上げ管に装着可能な、内径の異なる複数段構造をなしていることを特徴とする引き上げ管端部処理用品。
【請求項３】
請求項１または２に記載の引き上げ管端部処理用品であって、
前記案内部の外径中心は、前記導入部の内径中心に対して偏心していることを特徴とする引き上げ管端部処理用品。
【請求項４】
請求項１〜３の何れか１項に記載の引き上げ管端部処理用品であって、
前記導入部と前記案内部とは、別体として構成されていることを特徴とする引き上げ管端部処理用品。
【請求項５】
請求項１〜４の何れか１項に記載の引き上げ管端部処理用品を引き上げ管の端部に装着した後、
前記閉塞部を除去して前記筒部を開口させ、
ケーブルを前記引き上げ管内から引き上げて前記筒部を通して外側へ導出し、
前記筒部と前記ケーブルとの間隙を塞ぐシール部材内に前記ケーブルを挿通させ、
前記シール部材を前記筒部に装着することを特徴とするケーブルの布設方法。
【発明の詳細な説明】
【技術分野】
【０００１】
本発明は、ケーブルを挿通するための引き上げ管の端部に装着される引き上げ管端部処理用品及び、地下から地上へケーブルを布設するための方法に関する。
【背景技術】
【０００２】
図１０に示すように、地下管路５１に布設された光ファイバケーブル等の通信用ケーブル５０は、地下から地上に引き出されて、建物５２内や電柱５３等に布設されることがある。その際、地下管路５１から地上に引き出された通信用のケーブル５０は、その地上への立ち上がり部分が、引き上げ管と呼ばれる管５４内に挿通されて保護される。引き上げ管５４は、通常、ケーブル５０を地上へ引き出す布設作業に先立って施工され、建物５２や電柱５３の外周面に近接して立設される。
【０００３】
また、引き上げ管５４の上端部には、ケーブル５０を引き出した状態で引き上げ管５４の端部を密閉する引き上げ管端部処理用品５５が装着される。引き上げ管端部処理用品５５は、１本のケーブルを引き出すためのものや複数のケーブルを引き出すための多条用のものなど、既に様々な形態のものが提案されている（例えば、特許文献１参照）。特に、電線ケーブル等の地中化整備に伴い、引き上げ管５４内には複数条のケーブルが導入される機会が増えている。従来の多条用の引き上げ管端部処理用品の一例を図１１に示す。
【０００４】
図１１に示す引き上げ管端部処理用品は、ケーブル保護管挿通用円筒部６４と光ファイバケーブル引出用円錐筒部６５を備えて引上管端部Ａに嵌着される引上管端用キャップ６１と、前記円筒部６４に挿通したケーブル保護管６７の管上端に嵌着するケーブル保護管端用光ファイバケーブル引出円錐筒形キャップ６６と、電柱側面固定具６８とにより構成され、この引上管端用キャップ６１を、通信用ケーブル設備の多条布設における地下に布設された光ファイバケーブル管が電柱に沿って地上に引き出される地下ケーブル引上管の管端部Ａの開口に嵌着して、電柱側面固定具６８によりケーブル保護管６７を電柱Ｂの側面に固定し、地下ケーブル引上管内の光ファイバケーブルＣ１を前記円錐筒部６５の上端開口から引出し、地下ケーブル引上管内及びケーブル保護管６７内に挿通されている光ファイバケーブルＣ２を前記円錐筒形キャップ６６の上端開口から引き出すように構成したものである。
【０００５】
上記の引上管端用キャップ６１は、ケーブル保護管挿通用円筒部６４と光ファイバケーブル引出用円錐筒部６５が一体構造であり、円錐筒部６５の頂部が開口している。また、円錐筒形キャップ６６は、ケーブル保護管６７とは別体構造であって、頂部が閉塞されている。このような構成により、図１１に示した引き上げ管端部処理用品は、ケーブルを引き通す順序が一意に決まっている。すなわち、１本目のケーブルは、始めから開口している円錐筒部６５から引き出し、さらに２本目のケーブルを引き出す際には円錐筒形キャップ６６の頂部付近を切除することで開口させて、そこからケーブルを引き出す。
【０００６】
【特許文献１】特許第２９９０１１６号公報
【発明の開示】
【発明が解決しようとする課題】
【０００７】
通常、引き上げ管はケーブルを地上へ引き出す布設作業に先立って施工される。しかしながら、図１１に示した引き上げ管端部処理用品は、最初に通線する円錐筒部６５が始めから開口しているため、この引き上げ管端部処理用品のみを予め引き上げ管に設置しておくことができず、１本目のケーブルの布設作業の際に引き上げ管に装着しなければならない。
また、上記の引上管端用キャップ６１は、引き上げ管内部への嵌合構造であるため、引き上げ管端部での管内スペースが小さくなりやすく、複数本のケーブルを通線する作業を阻害してしまう状況にあった。
【０００８】
本発明の目的は、引き上げ管に予め単体で装着可能であり、ケーブルの通線作業性の良好な引き上げ管端部処理用品及びケーブルの布設方法を提供することにある。
【課題を解決するための手段】
【０００９】
上記目的を達成することのできる本発明に係る引き上げ管端部処理用品は、ケーブルを挿通するための引き上げ管の端部に装着される引き上げ管端部処理用品であって、前記引き上げ管の端部が導入されることで前記引き上げ管に装着される導入部と、前記引き上げ管の内側から外側にケーブルを挿通させるための複数の筒部及び当該筒部の内孔を塞いだ閉塞部が形成された案内部とを有することを特徴としている。
【００１０】
また、本発明に係る引き上げ管端部処理用品において、前記導入部は、異なる径の引き上げ管に装着可能な、内径の異なる複数段構造をなしていることが好ましい。
【００１１】
また、本発明に係る引き上げ管端部処理用品において、前記案内部の外径中心は、前記導入部の内径中心に対して偏心していることが好ましい。
【００１２】
また、本発明に係る引き上げ管端部処理用品において、前記導入部と前記案内部とは、別体として構成されていることが好ましい。
【００１３】
また、上記目的を達成することのできる本発明に係るケーブルの布設方法は、上記の本発明に係る引き上げ管端部処理用品を引き上げ管の端部に装着した後、前記閉塞部を除去して前記筒部を開口させ、ケーブルを前記引き上げ管内から引き上げて前記筒部を通して外側へ導出し、前記筒部と前記ケーブルとの間隙を塞ぐシール部材内に前記ケーブルを挿通させ、前記シール部材を前記筒部に装着することを特徴としている。
【発明の効果】
【００１４】
本発明の引き上げ管端部処理用品によれば、引き上げ管の端部が導入されることで引き上げ管に装着されるため、引き上げ管内の空間を当該引き上げ管端部処理用品で埋めてしまわずに有効に活用でき、通線作業を円滑に行うことができる。また、ケーブルを挿通させるための複数の筒部は、その内孔が閉塞部により閉塞されているため、ケーブルの布設前に当該引き上げ管端部処理用品を単体で引き上げ管に装着しておくことができる。
また、本発明のケーブルの布設方法によれば、引き上げ管端部処理用品を引き上げ管の端部に装着した後、ケーブルの布設要求が発生した際に閉塞部を除去して筒部を開口させることでケーブルの通線を可能とし、適時布設作業を行うことができる。
【発明を実施するための最良の形態】
【００１５】
以下、本発明に係る引き上げ管端部処理用品及びケーブルの布設方法の実施の形態の例を、図面を参照しつつ説明する。
図１に、本実施形態の引き上げ管端部処理用品（以下、端部処理用品と呼ぶ）１０の断面図を示す。また、図２は端部処理用品１０の上面図であり、図３は端部処理用品１０の側面図である。
図１から図３に示すように、端部処理用品１０は、ケーブルを地下から地上へ布設するために予め地下管路から地上に立設された引き上げ管Ｄ１もしくはＤ２の上端部に装着されて用いられる。ここで、例えば引き上げ管Ｄ１は鋼管の周囲にプラスチックの外被が設けられた外径９４．３±０．８ｍｍの鋼管であり、引き上げ管Ｄ２は外径９６．０±０．５ｍｍのビニル管である。
【００１６】
端部処理用品１０は、スペーサ１１とケーブルガイド１２の２つの部材から構成されている。スペーサ１１とケーブルガイド１２の材質は、共に弾性体のゴムや樹脂であることが好ましく、例えばエチレンプロピレンゴム（ＥＰＤＭ）である。エチレンプロピレンゴムは、耐候性、耐オゾン性、耐熱性、耐寒性がそれぞれ良好であるため、屋外での使用に適している。
【００１７】
スペーサ１１は、２つの引き上げ管Ｄ１もしくはＤ２に装着するための部材である。このスペーサ１１は、上下が開口した略円筒形状をなしており、引き上げ管Ｄ１もしくはＤ２の端部を下方から導入可能となっている。また、スペーサ１１の内側には、径の異なる引き上げ管Ｄ１，Ｄ２のどちらに対しても、導入した際に引き上げ管Ｄ１，Ｄ２に対してスペーサ１１が相互の摩擦により嵌合して、その径方向に不必要に移動しないよう、それぞれ引き上げ管Ｄ１，Ｄ２の外径より僅かに大きく形成された内径を有する２つの導入部１３，１４が段状に設けられている。例えば、導入部１３の直径は９５．１ｍｍであり、導入部１４の直径は９６．５ｍｍである。また、導入部１３の上端箇所には、導入部１３に導入された引き上げ管Ｄ１の上端面に係止して、スペーサ１１を引き上げ管Ｄ１に対して位置決めする環状の第１係止部１５が形成されている。また同様に、導入部１４の上端箇所には、導入部１４に導入された引き上げ管Ｄ２の上端面に係止されて、スペーサ１１を引き上げ管Ｄ２に対して位置決めする環状の第２係止部１６が形成されている。
【００１８】
このように、スペーサ１１は引き上げ管Ｄ１もしくはＤ２の端部が導入されることで引き上げ管Ｄ１もしくはＤ２に装着されるため、引き上げ管Ｄ１もしくはＤ２内の空間を端部処理用品１０で埋めることがない。そのため、引き上げ管Ｄ１，Ｄ２内の空間をケーブル布設のために有効に活用でき、通線作業を円滑に行うことができる。
【００１９】
また、スペーサ１１は、導入部１３，１４の上方に、導入部１３，１４と連通した空間をなす開口部１７が設けられている。この開口部１７によりスペーサ１１の上端が開口されており、地下管路から引き上げ管Ｄ１もしくはＤ２に導入されたケーブルは、導入部１３，１４及び開口部１７を通って上方へ引き出される。開口部１７は、上方へ向かってその内径が拡大するように内周面が傾斜しており、これにより上方への開口面積を広くするように図られている。さらに、その傾斜角度は周方向に一様ではなく、開口した上端部分の円の中心線Ｙ１が、導入部１３，１４の中心線Ｘ１に対して偏心している。また、開口部１７を形成している部分の外周部１８は、端部処理用品１０のもう一方の部材をなすケーブルガイド１２の内周面と摩擦により嵌合するように、円周面形状をなしている。
【００２０】
ケーブルを外側へ案内する案内部であるケーブルガイド１２は、そのほぼ下半分が、薄肉の円筒状に形成されておりスペーサ１１の外周部１８の外側に摩擦により嵌合する嵌合部１９となっている。また、ケーブルガイド１２の上半分には、ケーブルを挿通させるための内孔を有する複数の筒部２０，２１が設けられている。本実施形態のケーブルガイド１２には、１つの筒部２０と、筒部２０より細径の３つの筒部２１が設けられている。これらの筒部２０，２１の上端部には、何れもその内孔に蓋をするように形成された薄肉状の閉塞部２２，２３が設けられている。筒部２０，２１の内孔は、スペーサ１１の導入部１３，１４及び開口部１７、さらには引き上げ管Ｄ１，Ｄ２と連続した空間を形成するものであるが、閉塞部２２，２３が設けられていることにより、引き上げ管Ｄ１，Ｄ２の内側の空間と屋外の空間とが遮断されている。
【００２１】
このように、ケーブルガイド１２の筒部２０，２１は、その内孔が閉塞部２２，２３により閉塞されているため、ケーブルの布設前に端部処理用品１０を単体で引き上げ管Ｄ１，Ｄ２に装着しておくことができる。ケーブルを布設する際には、複数の閉塞部２２，２３のうち何れかを除去して、筒部２０，２１の何れかを開口させ、そこからケーブルを引き出せば良い。なお、閉塞部２２，２３の除去は、閉塞部２２，２３の端部をペンチ等でつまみ、捲り取ることで容易に行うことができる。また、筒部２０，２１を開口させる順序は問わないため、複数のケーブルをどの筒部２０，２１からどのような順序で引き通すかを自在に選択することができる。なお、筒部２０，２１から除去した閉塞部２２，２３は、ケーブル所有者等を記入するタグとして利用することができる。
【００２２】
また、開口部１７の上端円は導入部１３，１４の内径円に対して偏心しているため、開口部１７の上端円にほぼ沿って形成された外周部１８に嵌合するケーブルガイド１２も、その外径円が開口部１７と同様に導入部１３，１４に対して偏心した位置に取り付けられる。そのため、ケーブルガイド１２を引き上げ管Ｄ１，Ｄ２の断面より大きくしても、引き上げ管Ｄ１，Ｄ２の外周面に対して径方向に突出する長さの短い箇所（図１中右側）を設けることができ、引き上げ管Ｄ１，Ｄ２を建物や電柱の外周面に対して近接した位置に立設することができる。
【００２３】
筒部２０，２１は、それぞれの軸方向の長さ（高さ）は均一であるが、筒部２０と筒部２１とでは径が異なっている。例えば、筒部２０の内径は５３．５ｍｍであり、筒部２１の内径は２８．５ｍｍである。そのため、布設するケーブルの太さや種類によって、用いる筒部２０，２１を選択することができる。
【００２４】
また、筒部２０，２１には、ケーブルを引き通した後にケーブルと内孔との隙間を塞ぐシール部材を取り付けることができる。本実施形態では、筒部２０に取り付けるシール部材として図４に示すケーブルキャップ３０を用いる。筒部２１に取り付けるシール部材はケーブルキャップ３０より小さいケーブルキャップ３１（図１及び図３参照）を用いる。なお、これらのケーブルキャップ３０，３１は、引き上げ管用のキャップとして既に知られているものを用いることができ、例えば、特開２００２−１１８９２０号公報に開示されたキャップを使用することができる。
【００２５】
図４に示すように、ケーブルキャップ３０は、全体が中空形状であり、その上部が円錐状部３２として形成され、円錐状部３２の下端にはケーブルガイド１２の筒部２０の上端に当接可能な鍔部３３が形成されている。また、鍔部３３の下方には、筒部２０の内側に嵌入する胴部３４及び傾斜胴部３５が形成されている。胴部３４は、外径が軸方向（図中縦方向）に一定であるが、傾斜胴部３５は、外径が下方に向かって次第に縮径しており、これにより筒部２０への嵌入作業を容易にしている。なお、このケーブルキャップ３０も、上記端部処理用品１０と同様のエチレンプロピレンゴムにより形成されている。また、円錐状部３２は、使用前はその頂部が閉塞されているが、ケーブル布設時には引き通すケーブルの太さに合わせてその頂部近傍をカッタ等で切断して取り除き、ケーブルを挿通させるための孔を開口させる。
【００２６】
また、上記の端部処理用品１０は、スペーサ１１とケーブルガイド１２の２つの部材から構成されているが、これらが一体構成となっていても構わない。但し、スペーサ１１とケーブルガイド１２とが別体であると、上記の引き上げ管Ｄ１，Ｄ２と径の異なる引き上げ管に端部処理用品を装着しようとする場合、スペーサ１１のみを別のものに変更すればよい。
【００２７】
例えば、図５に示す端部処理用品１０ａは、上記の引き上げ管Ｄ１，Ｄ２より細径の引き上げ管Ｄ３もしくはＤ４に装着を可能とするものである。例えば引き上げ管Ｄ３は鋼管の周囲にプラスチックの外被が設けられた外径６５．７±０．５ｍｍの鋼管であり、引き上げ管Ｄ４は外径６０．０±０．４ｍｍのビニル管である。この端部処理用品１０ａでは、端部処理用品１０におけるスペーサ１１の代わりに、細径の２つの導入部１３ａ，１４ａが段状に形成されたスペーサ１１ａが用いられている。例えば、導入部１３ａの直径は６０．４ｍｍであり、導入部１４ａの直径は６６．２ｍｍである。
【００２８】
また、導入部１３ａの上方に形成された開口部１７ａは、スペーサ１１の開口部１７より大きな傾斜角度で上方に向かって拡がっており、その上端部はスペーサ１１と同じ開口面積となっている。そのため、外周部１８ａをスペーサ１１の外周部１８と同じ大きさとなり、ここに嵌合されるケーブルガイド１２は、端部処理用品１０におけるケーブルガイド１２と同じものとすることができる。
【００２９】
また、ケーブルガイド１２の外径は導入部１３ａ，１４ａの内径に比べて格段に大きいが、開口部１７ａの上端部分の円の中心線Ｙ２が、導入部１３ａ，１４ａの中心線Ｘ２に対して大きく偏心しており、引き上げ管Ｄ３，Ｄ４に対するケーブルガイド１２の径方向への突出長さが短い箇所（図５中右側）が設けられている。
【００３０】
次に、地下管路からの複数本のケーブルを、上述した端部処理用品１０を用いて布設する方法について説明する。
まず、図６に示すように、引き上げ管Ｄ１の上端部に端部処理用品１０を装着する。もしくは、端部処理用品１０を引き上げ管Ｄ２に装着しても良い。そして、ケーブルを布設しようとする際に、引き上げたケーブルを挿通させる筒部２０，２１の閉塞部２２，２３を除去し、筒部２０，２１を開口させる。図６では、まず筒部２０のみを開口させている。なお、閉塞部２２，２３を除去した後に筒部２２，２３の内周側にバリが残ったとしても、ケーブルガイド１２は弾性体で構成されているため、挿通するケーブルに接触してもケーブルを損傷させることはない。
【００３１】
そして、ケーブルを引き上げるための長尺状の通線体４０を、開口させた筒部２０を通して上方から引き上げ管Ｄ１内に挿入する。なお、この通線体４０の先端には孔が形成されている。
【００３２】
通線体４０が地下管路まで届いたら、ケーブルに繋がれた紐等を通線体４０の孔に通し、ケーブルと通線体４０とを繋ぐ。その後、図７に示すように、通線体４０を上方に引っ張ってケーブルＣ１を筒部２０から引き出す。その際、ケーブルＣ１の端部には、ケーブルＣ１を保護して把持し、通線体４０の孔に通す紐を備えた保護部材４１が装着される。
【００３３】
ケーブルＣ１を引き上げて筒部２０から外へ導出したら、ケーブルＣ１の端部から通線体４０及び保護部材４１を外す。そして、図４に示したケーブルキャップ３０の頂部をケーブルＣ１の外径に合わせて切断して除去する。次に、図８に示すようにケーブルキャップ３０の内側にケーブルＣ１を導入し、さらに頂部の孔に挿通させる。その後、ケーブルキャップ３０の鍔部３３が筒部２０の上端に当接するように、胴部３４及び傾斜胴部３５を筒部２０内に嵌入させる。これにより、ケーブルＣ１を通したケーブルキャップ３０がケーブルガイド１２に装着され、筒部２０とケーブルＣ１との間隙が塞がれる。
【００３４】
また、図９に示すように、他のケーブル布設の要求に応じて筒部２１も同じように開口させて、ケーブルＣ２を引き通し、ケーブルキャップ３１を装着すれば良い。また、ケーブルＣ１，Ｃ２を挿通させたケーブルキャップ３０，３１の上部には、シールテープ４２を巻いてケーブルＣ１，Ｃ２とケーブルキャップ３０，３１との間で確実に防水性を確保すると良い。
なお、上記の方法では筒部２０に１本目のケーブルＣ１を通線させたが、他の筒部２１を最初に開口させてそこに１本目のケーブルＣ１を通線させても良い。また、１つの筒部及び１つのケーブルキャップに対して、複数のケーブルを通して布設することもできる。
【００３５】
また、筒部２０，２１から除去した閉塞部２２，２３を、ケーブルキャップ３０，３１の上方へ引き出したケーブルＣ１，Ｃ２に紐等を用いて取り付けて、ケーブル所有者等を記入するタグとして利用すると良い。これにより、端部処理用品１０から廃棄物を発生させることなく、資材の有効活用を図ることができる。
【００３６】
このように、本実施形態のケーブルの布設方法によれば、端部処理用品１０を引き上げ管Ｄ１の端部に装着した後、ケーブルＣ１，Ｃ２の布設要求が発生した際に閉塞部２２，２３の何れかを除去して筒部２０，２１の何れかを開口させ、それによりケーブルＣ１，Ｃ２の通線を可能とし、適時布設作業を行うことができる。また、スペーサ１１は引き上げ管Ｄ１の外側に装着されるため、引き上げ管Ｄ１内の空間をケーブル布設のために有効に活用でき、通線作業を円滑に行うことができる。
【図面の簡単な説明】
【００３７】
【図１】本発明に係る引き上げ管端部処理用品の一実施形態を示す断面図である。
【図２】図１に示した端部処理用品の上面図である。
【図３】図１に示した端部処理用品の側面図である。
【図４】図１に示したケーブルキャップの部分断面図である。
【図５】本発明に係る引き上げ管端部処理用品の他の実施形態を示す断面図である。
【図６】図１に示した端部処理用品を引き上げ管に装着して筒部を開口させた状態の断面図である。
【図７】図６に示した端部処理用品からケーブルを引き上げる際の断面図である。
【図８】図７に示した端部処理用品にケーブルキャップを装着する際の断面図である。
【図９】複数のケーブルを布設した状態を示す断面図である。
【図１０】引き上げ管及びケーブルの布設状態を示す模式図である。
【図１１】従来の引き上げ管端部処理用品の一例を示す側面図である。
【符号の説明】
【００３８】
１０  端部処理用品（引き上げ管端部処理用品）
１１  スペーサ
１２  ケーブルガイド（案内部）
１３，１４  導入部
１７  開口部
１８  外周部
１９  嵌合部
２０，２１  筒部
２２，２３  閉塞部
３０，３１  ケーブルキャップ（シール部材）
Ｃ１，Ｃ２  ケーブル
【図１】
2006034074.tif 000003
【図２】
2006034074.tif 000004
【図３】
2006034074.tif 000005
【図４】
2006034074.tif 000006
【図５】
2006034074.tif 000007
【図６】
2006034074.tif 000008
【図７】
2006034074.tif 000009
【図８】
2006034074.tif 000010
【図９】
2006034074.tif 000011
【図１０】
2006034074.tif 000012
【図１１】
2006034074.tif 000013